(57)【要約】【課題】本発明の目的とするところは、より安価に光漏れの問題を解決できる導光板およびそれを備えた液晶表示装置を提供することにある。【解決手段】本発明の一実施形態に係る液晶表示装置用導光板は、出光パターンが形成された出光パターン面、出光パターン面の反対側に配置される反対面、および４つのエッジ面を有し、出光パターン面と反対面のいずれか一方にはレンチキュラーパターンが形成された液晶表示装置用導光板として、出光パターン面は、出光パターンが形成されている出光部と、出光部を囲むようにエッジ面に沿って伸長され、導光板固定のための少なくとも一つの固定溝が形成されたエッジ部とを含み、出光部は、固定溝に対向するように配置され、且つ出光部の残りの領域の出光パターン密度より更に低い出光パターン密度を有するパターン減少領域を含む。【選択図】図９
2013258134.tif 000002
【特許請求の範囲】
【請求項１】
出光パターンが形成された出光パターン面、前記出光パターン面の反対側に配置される反対面、および４つのエッジ面を有し、前記出光パターン面と前記反対面のいずれか一方にはレンチキュラーパターンが形成された液晶表示装置用導光板において、
前記出光パターン面は、
前記出光パターンが形成されている出光部と、
前記出光部を囲むように前記エッジ面に沿って伸長され、導光板固定のための少なくとも一つの固定溝が形成されたエッジ部と
を含み、
前記出光部は、前記固定溝に対向するように配置され、且つ前記出光部の残りの領域の出光パターン密度より更に低い出光パターン密度を有するパターン減少領域を含む、液晶表示装置用導光板。
【請求項２】
前記出光パターン密度は、前記パターン減少領域と前記残りの領域との間の境界で不連続的に変わることを特徴とする請求項１に記載の液晶表示装置用導光板。
【請求項３】
前記パターン減少領域は、前記固定溝に隣接する一位置で、前記出光部と前記エッジ部との間に定義された境界Ｄから予め定義された距離だけ内側に伸長されたことを特徴とする請求項１に記載の液晶表示装置用導光板。
【請求項４】
前記固定溝Ｇの中心およびポイントＳを過ぎる直線αに対して、前記パターン減少領域が対称となるように、前記パターン減少領域は前記固定溝に隣接する一位置で、前記出光部と前記エッジ部との間に定義された境界Ｄから予め定義された距離だけ内側に伸長されたことを特徴とする請求項１に記載の液晶表示装置用導光板。
【請求項５】
前記パターン減少領域の面積は、前記出光パターン面で前記固定溝によって占有された面積の略０ないし５倍であることを特徴とする請求項１に記載の液晶表示装置用導光板。
【請求項６】
前記パターン減少領域の面積は、前記出光パターン面で前記固定溝によって占有された面積の略２倍であることを特徴とする請求項５に記載の液晶表示装置用導光板。
【請求項７】
前記出光パターン面のエッジ部は、前記固定溝の右側および左側に配置され、追加出光パターンが形成された第１および第２追加パターン領域を含むことを特徴とする請求項１に記載の液晶表示装置用導光板。
【請求項８】
前記第１および第２追加パターン領域は、各々長方形状であり、前記第１および第２追加パターン領域は、各々横と縦の比が１：１ないし４：１であることを特徴とする請求項７に記載の液晶表示装置用導光板。
【請求項９】
前記導光板は、前記４つのエッジ面のいずれか一つのエッジ面を通じて光を受光し、各々の固定溝は光を受光するエッジ面に隣り合う２つのエッジ面のいずれか一方に形成され、
前記第１および第２追加パターン領域のうち、光が受信されるエッジ面により近い追加パターン領域は、もう一つの追加パターン領域に比べてより広いことを特徴とする請求項７に記載の液晶表示装置用導光板。
【請求項１０】
前記導光板は、前記４つのエッジ面のうち、反対側に配置された２つのエッジ面を通じて光を受光し、各々の固定溝は光を受光しない他の２つのエッジ面のいずれか一方に形成され、
前記第１および第２追加パターン領域は、形状および大きさの側面から互いに同様であることを特徴とする請求項７に記載の液晶表示装置用導光板。
【請求項１１】
前記出光パターン面の出光部は、前記パターン減少領域の右側および左側に各々配置され、且つその隣接領域に比べて更に高い出光パターン密度を有する第１および第２パターン増大領域を更に含むことを特徴とする請求項７に記載の液晶表示装置用導光板。
【請求項１２】
前記出光部は、前記パターン減少領域の真後ろに配置され、且つその隣接領域に比べて更に高い出光パターン密度を有する後方パターン増大領域を更に含むことを特徴とする請求項１１に記載の液晶表示装置用導光板。
【請求項１３】
前記出光パターン面の出光部は、前記パターン減少領域の右側および左側に各々配置され、出光パターン密度がその隣接領域に比べて、更に高い第１および第２パターン増大領域を含むことを特徴とする請求項１に記載の液晶表示装置用導光板。
【請求項１４】
前記出光部は、前記パターン減少領域の真後ろに配置され、出光パターン密度がその隣接領域に比べて更に高い後方パターン増大領域を更に含むことを特徴とする請求項１に記載の液晶表示装置用導光板。
【請求項１５】
請求項１ないし請求項１４のいずれか一項に係る導光板を含む液晶表示装置。
【発明の詳細な説明】
【技術分野】
【０００１】
本発明は、導光板およびそれを備えた液晶表示装置に関し、より詳細には、レンチキュラーパターンが形成された導光板およびそれを備えた液晶表示装置に関する。
【背景技術】
【０００２】
液晶表示装置は、液晶を表示する液晶パネルと液晶パネルに光を提供するバックライトユニットとを含み、液晶パネルとバックライトユニットとは、前面シャーシおよび背面シャーシによって一つのモジュール（いわゆる、液晶表示モジュール）でパッケージングされるのが一般的である。
【０００３】
バックライトユニットは、光を生成する複数の光源を含む。そして、バックライトユニットは、光源が生成した光を液晶パネルにガイドするための導光板（ＬＧＰ：Ｌｉｇｈｔ  Ｇｕｉｄｅ  Ｐａｎｅｌ）を含んでよい。
【０００４】
導光板の一面には、液晶パネル側に光を誘導するための出光パターンが形成される。そして、液晶表示装置が立体映像（３Ｄ映像）を表示することができる類型である場合、導光板の一面または他面に３Ｄスキャニング効率を向上させるためのレンチキュラーパターンを形成する方法がよく知られている。
【０００５】
導光板の周縁付近には、一つ以上の固定溝が形成されてよく、背面シャーシに装着された固定部材（例えば、スタッド（Ｓｔｕｄ））が固定溝に挿入されることにより、背面シャーシ上で導光板が元の位置に固定されてよい。
【０００６】
このような固定溝または固定部材によって導光板内で特定方向に光の一部が漏れてしまう、いわゆる、“光漏れ現象”が生じる可能性があり、このような光漏れによって液晶パネルによって表示される映像には、意図しない輝線が生じる可能性がある。このような輝線によって映像品質が低下してしまう。
【０００７】
なお、導光板から液晶パネル側への光直進性を増大させるレンチキュラーパターンの特性により、レンチキュラーパターンが形成された導光板は、一般の導光板に比べて光漏れによる映像品質の低下がより深刻になるおそれがある。
【０００８】
光漏れ問題を解決するために、固定溝の内壁に黒のテープを貼る方策、固定溝の内側に白のテープを貼る方策等が従来からよく知られている。
【０００９】
しかし、このような方策は、更なる工程を必要とするため、製造コスト増の要因にとなることから、その改善方策が求められる。
【先行技術文献】
【特許文献】
【００１０】
【特許文献１】韓国特開第２０１１−００８３４９０号公報
【特許文献２】特開第２００２−１７５７１３号公報
【特許文献３】特開第２００４−０３７９８２号公報
【発明の概要】
【発明が解決しようとする課題】
【００１１】
そこで、本発明は、上記問題に鑑みてなされたものであり、本発明の目的とするところは、より安価に光漏れの問題を解決できる導光板およびそれを備えた液晶表示装置を提供することにある。
【課題を解決するための手段】
【００１２】
前記目的を達成するために、本発明は、出光パターンが形成された出光パターン面、前記出光パターン面の反対側に配置される反対面、および４つのエッジ面を有し、前記出光パターン面と前記反対面のいずれか一方にはレンチキュラーパターンが形成された液晶表示装置用導光板として、前記出光パターン面は、前記出光パターンが形成されている出光部と、前記出光部を囲むように前記エッジ面に沿って伸長され、導光板固定のための少なくとも一つの固定溝が形成されたエッジ部とを含み、前記出光部は、前記固定溝に対向するように配置され、且つ前記出光部の残りの領域の出光パターン密度より更に低い出光パターン密度を有するパターン減少領域を含むことを特徴とする液晶表示装置用導光板を提供する。
【００１３】
前記出光パターン密度は、前記パターン減少領域と前記残りの領域との間の境界で不連続的に変わるものであってよい。
【００１４】
前記パターン減少領域内には、出光パターンが存在しなくてよい。
【００１５】
前記出光パターン面上で、前記パターン減少領域と前記固定溝との間には、出光パターンが存在しなくてよい。
【００１６】
前記パターン減少領域は、前記出光部と前記エッジ部との間の境界の一部を含むように配置されるものであってよい。
【００１７】
前記境界の一部は、前記固定溝から最も近い前記出光部の一地点を含むものであってよい。
【００１８】
前記パターン減少領域は、線対称状であってよい。
【００１９】
前記パターン減少領域は、半円形と、半楕円と、多角形およびチルトされた多角形のうち、いずれか一つの形状であってよい。
【００２０】
前記パターン減少領域の面積は、前記出光パターン面で前記固定溝が占有する面積の略０ないし５倍であってよい。
【００２１】
前記パターン減少領域の面積は、前記出光パターン面で前記固定溝が占有する面積の略２倍であってよい。
【００２２】
前記出光パターン面のエッジ部は、前記固定溝の右側および左側に配置され、追加出光パターンが形成された第１および第２追加パターン領域を含んでよい。
【００２３】
前記第１および第２追加パターン領域は、各々長方形状であるものであってよい。
【００２４】
前記第１および第２追加パターン領域は、各々横と縦の比が１：１ないし４：１であってよい。
【００２５】
前記導光板は、前記４つのエッジ面のいずれか一つのエッジ面を通じて光を受光し、各々の固定溝は光を受光するエッジ面に隣り合う２つのエッジ面のいずれか一方に形成され、前記第１および第２追加パターン領域のうち、光が受信されるエッジ面により近い追加パターン領域は、もう一つの追加パターン領域に比べてより広いものであってよい。
【００２６】
前記導光板は、前記４つのエッジ面のうち、反対側に配置された２つのエッジ面を通じて光を受光し、各々の固定溝は光を受光しない他の２つのエッジ面のいずれか一方に形成され、前記第１および第２追加パターン領域は形状および大きさの側面から互いに同様のものであってよい。
【００２７】
前記出光パターン面の出光部は、前記パターン減少領域の右側および左側に各々配置され、且つその隣接領域に比べて、更に高い出光パターン密度を有する第１および第２パターン増大領域を更に含んでよい。
【００２８】
前記出光部は、前記パターン減少領域の真後ろに配置され、且つその隣接領域に比べて更に高い出光パターン密度を有する後方パターン増大領域を更に含んでよい。
【００２９】
前記後方パターン増大領域は、前記パターン減少領域を部分的に囲むように配置されてよい。
【００３０】
前記目的を達成するために、本発明は、更に、上述の実施形態のいずれか一つに係る導光板を含む液晶表示装置を提供する。
【発明の効果】
【００３１】
以上説明したように、本発明に係る導光板によると、固定溝および固定部材による光漏れ問題を解決することができ、このような解決は、更なる工程なしに、ただの出光パターン設計の変更を通じて達成することができる。よって、従来技術に比べてより安価な費用で光漏れ問題を解決することができる。
【図面の簡単な説明】
【００３２】
【図１】本発明の一実施形態に係る液晶表示装置を概略的に示す断面図である。
【図２】図１の液晶表示装置に具備された導光板の斜視図である。
【図３】図１の液晶表示装置に具備された導光板の後側平面図である。
【図４】固定溝の周辺の出光パターン設計に対する実施形態を示す図である。
【図５】固定溝の周辺の出光パターン設計に対する実施形態を示す図である。
【図６】固定溝の周辺の出光パターン設計に対する実施形態を示す図である。
【図７】固定溝の周辺の出光パターン設計に対する実施形態を示す図である。
【図８】固定溝の周辺の出光パターン設計に対する実施形態を示す図である。
【図９】固定溝の周辺の出光パターン設計に対する実施形態を示す図である。
【発明を実施するための形態】
【００３３】
以下に添付図面を参照しながら、本発明の好適な実施形態について詳細に説明する。
【００３４】
図１は、本発明の一実施形態に係る液晶表示装置を概略的に示す断面図である。図１は、便宜上のために、液晶表示装置の主な部品を示していることに留意を要する。
【００３５】
図１を参照すると、液晶表示装置１００は、液晶パネル１１０およびバックライトユニット１２０を含む。図１に示してはいないが、前面シャーシおよび背面シャーシによって液晶パネル１１０とバックライトユニット１２０は、一つのモジュールでパッケージングされる。
【００３６】
液晶パネル１１０は、映像を表示する部品として、上板１１１と、下板１１２と、上板１１１と下板１１２との間に収容される液晶１１３と、を含む。
【００３７】
図示はしていないが、上板１１１は、前方偏光フィルタおよびカラーフィルタ層等を含み、下板１１２は、後方偏光フィルタおよびＴＦＴアレイ等を含む。ＴＦＴアレイのスイッチング動作によって液晶が駆動されることにより、液晶パネル１１０から映像が表示されることができる。液晶パネル１１０は、既に知られているため、更なる説明は省略する。
【００３８】
バックライトユニット１２０は、液晶パネル１１０に映像表示のための光を提供するためのものである。そこで、バックライトユニット１２０は、二つの光源ユニット１３０と、両光源ユニット１３０の間に配置された導光板１４０と、導光板１４０の後方に配置される反射シート１５０と、導光板１４０の前方に配置される複数の複数の光学シート１６１、１６２、１６３と、を含む。
【００３９】
各々の光源ユニット１３０は、光源駆動ボード１３２と、その一面に装着された複数の光源１３１と、を含む。光源駆動ボード１３２は、光源１３１を駆動し、光源１３１は導光板１４０内に光を発射する。一例として、光源１３１は、発光ダイオード（ＬＥＤ）であってよい。本実施形態においては、二つの光源ユニット１３０が具備されるが、代案としての別の実施形態ではたった一つの光源ユニット１３０が具備されてよい。
【００４０】
反射シート１５０は、導光板１４０が液晶パネル１１０へ光をガイドすることを手伝う。複数の光学シート１６１、１６２、１６３は、導光板１４０から出射された光を拡散および集光（ｃｏｌｌｉｍａｔｉｎｇ）させることにより、輝度均一性を増大させる。光学シート１６１、１６２、１６３の種類および配列は、多様に選択されてよい。一例として、光学シートとして、保護シート１６１と、プリズムシート１６２と、拡散シート１６３とが配列されてよい。
【００４１】
上述の導光板１４０について、図２および図３を参照してより詳細に説明する。図２は、図１の液晶表示装置に具備された導光板の斜視図であり、図３は、図１の液晶表示装置に具備された導光板の後側平面図である。
【００４２】
図２および図３を参照すると、導光板１４０は略長方形の板状をなしている。導光板１４０は、出光パターンＰ０が形成されている出光パターン面１４１と、出光パターン面１４１の反対側に配置され、且つレンチキュラーパターンＬが形成されているレンチキュラーパターン面１４２と、それらの両パターン面１４１、１４２を囲んでいる４つのエッジ面１４３、１４４、１４５、１４６と、を含む。
【００４３】
説明の便宜上、４つのエッジ面の各々を、第１エッジ面１４３と、第２エッジ面１４４と、第３エッジ面１４５と、第４エッジ面１４６と称する。第１エッジ面１４３と第２エッジ面１４４とは互いに反対側に配置され、第３エッジ面１４５および第４エッジ面１４６とは互いに反対側に配置される。
【００４４】
そして、各々のエッジ面は、２つの他のエッジ面を隣り合っている。例えば、第１エッジ面１４３は、第３エッジ面１４５および第４エッジ面１４６と隣り合っている。
【００４５】
出光パターン面１４１は、出光パターンＰ０が形成されている出光部１４１Ａと、出光部１４１Ａを囲むように複数のエッジ面１４３、１４４、１４５、１４６に沿って伸長されたエッジ部１４１Ｂと、を含む。ここで、仮想の線（ｌｉｎｅ）である点線Ｄは、出光部１４１Ａとエッジ部１４１Ｂとの間の境界または出光部１４１Ａの外周を表す。
【００４６】
第１エッジ面１４３および第２エッジ面１４４を通じて導光板１４０内に入射された光Ｅは、出光パターン面１４１に形成された出光パターンＰ０によって上述の液晶パネル１１０（図１を参照）側へガイドされる。図３に示す出光パターンＰ０の形状、大きさ、配列等は、例示的なものであり、多様に変更されてよい。そして、出光パターンＰ０は、一例として、プリンティング工程またはレーザーエッチング工程によって形成されてよい。
【００４７】
レンチキュラーパターン面１４２に形成されたレンチキュラーパターンＬは、導光板１４０から出光される光の液晶パネル１１０に向かう直進性を増大させ、それによって、立体映像の実現時、３Ｄスキャニング効率が向上する。レンチキュラーパターンＬは、既によく知られているため、詳細な説明は省略する。
【００４８】
第３エッジ面１４５および第４エッジ面１４６には、各々２つの固定溝Ｇが導光板１４０の内側に凹状に形成されている。言い換えると、図３に示すように、出光パターン面１４１のエッジ部１４１Ｂには、複数の固定溝Ｇが形成されており、図２に示すように、各々の固定溝Ｇは反対側のレンチキュラーパターン面１４２にまで伸長される。図示の固定溝Ｇの形状は、例示的なものであり、その形状は実施形態に応じて変更されてよい。
【００４９】
上述の背面シャーシ（図示せず）には、導光板１４０を固定させるための固定部材（例えば、スタッド）が装着され、各々の固定溝Ｇにその固定部材が挿入されることにより、導光板１４０は背面シャーシ上で元の位置に固定されてよい。
【００５０】
本実施形態では、第３エッジ面１４５および第４エッジ面１４６に固定溝Ｇが単に形成されているが、代案としての実施形態では、第１エッジ面１４３および第２エッジ面１４４にも固定溝Ｇが形成されてもよい。なお、本実施形態では、各エッジ面１４５、１４６に２つの固定溝（Ｇ）が形成されているが、代案としての実施形態では、各エッジ面１４５、１４６に形成される固定溝Ｇの数は多様に変化してもよい。一例として、各エッジ面１４５、１４６にたった一つの固定溝Ｇが形成されてよい。
【００５１】
上述のように、固定溝Ｇまたは固定部材によって映像の品質を低下させる光漏れ減少が発生するおそれがある。このような光漏れ現象は、一般的な導光板よりはレンチキュラーパターンＬを有する導光板１４０の使用時により大きい問題をもたらす。
【００５２】
このような光漏れを防止するための固定溝Ｇの周辺の出光パターン設計の例示的な実施形態について、図４ないし図９を参照して説明する。図４ないし図９は、固定溝の周辺の出光パターン設計に対する実施形態を示す図である。
【００５３】
まず、図４に示す実施形態を説明する。
【００５４】
上述のように、導光板１４０の出光パターン面１４１は、出光部１４１Ａとエッジ部１４１Ｂとを含む。図４を参照すると、出光部１４１Ａは固定溝Ｇに隣接するパターン減少領域Ｒを含む。
【００５５】
このようなパターン減少領域Ｒは、出光部１４１Ａの残りの領域と比較して、出光パターン密度が顕著に低い領域である。図４でのように、パターン減少領域Ｒ内に出光パターンが存在しなくてもよい。よって、パターン減少領域Ｒの外からパターン減少領域Ｒの内側に進みつつ出光パターン密度が測定される際、パターン減少領域Ｒの境界Ｉでは、出光パターン密度が急激に減少する。よって、パターン減少領域Ｒの境界Ｉで出光パターン密度は不連続的に変化することを理解することができる。
【００５６】
パターン減少領域Ｒは、固定溝Ｇを対向するように配置される。なお、パターン減少領域Ｒは、出光部１４１Ａとエッジ部１４１Ｂとの間の境界Ｄの一部Ｄ１を含むように配置される。そして、パターン減少領域Ｒに含まれるその境界の一部Ｄ１には、出光部１４１Ａで固定溝Ｇからもっとも近い一地点Ｓが含まれる。
【００５７】
パターン減少領域Ｒは、多様な形状で形成されてよい。図４でのように、パターン減少領域Ｒの一種の線対称状の長方形状であってよい。すなわち、パターン減少領域Ｒは、固定溝Ｇの中心Ｃと上述の最短地点Ｓを過ぎる直線（α）に対して対称であることが分かる。なお、パターン減少領域Ｒは、半円形状と、楕円形状、二等辺三角形状のような別の線対称状であってよい。
【００５８】
さらに、パターン減少領域Ｒは、チルトされた多角形のように、線対称ではない別の形状であってよい。
【００５９】
パターン減少領域Ｒの面積は、固定溝Ｇによって占有される出光パターン面１４１の面積の略０ないし５倍の間の範囲で決定されてよく、パターン減少領域Ｒの面積は、固定溝Ｇによって占有された面積の略２倍であることが望ましい。
【００６０】
一方、固定溝Ｇとパターン減少領域Ｒとの間の領域には、出光パターンが存在していないことが分かる。
【００６１】
固定溝Ｇの付近に形成されるパターン減少領域Ｒによって、固定溝Ｇまたは固定部材（図示せず）で、反射またはスキャタリングされた光が導光板１４０から出光される量が減少することができる。よって、固定溝Ｇまたは固定部材による光漏れ問題が緩和または解消することができる。よって、映像の品質が改善する。
【００６２】
図５に示す実施形態について説明する。
【００６３】
図５を参照すると、パターン減少領域Ｒ１は、半楕円状であってよく、図４の場合と違って、当該パターン減少領域Ｒ１の中には出光パターンＰ１が形成されてよい。勿論、パターン減少領域Ｒ１における出光パターン密度は、出光パターン面１４１の残りの領域に比べて顕著に低い。例えば、パターン減少領域Ｒ１内の出光パターンＰ１間のピッチを減らすか、その出光パターンＰ１の大きさを減らす方式で、パターン減少領域Ｒ１の密度を他領域に比べて低くすることができる。
【００６４】
図６に示す実施形態について説明する。
【００６５】
図６に示すように、出光パターン面１４１のエッジ部１４１Ｂ上で、固定溝Ｇの右側および左側には、第１追加パターン領域Ａ１および第２追加パターン領域Ａ２が形成されてよい。第１および第２追加パターン領域Ａ１、Ａ２には、追加パターンＰ２が形成される。図６に示すように、各々の追加パターン領域Ａ１、Ａ２は、長方形状をなしてよく、この場合、その幅Ｗと高さＨの比は、１：１ないし４：１の範囲で選択されてよい。しかしながら、このような追加パターン領域Ａ１、Ａ２は、長方形状に限定されずに、代案としての別の形状であってよい。
【００６６】
このように、固定溝Ｇの両側に第１および第２追加パターン領域Ａ１、Ａ２が形成されることにより、第１エッジ面１４３および第２エッジ面１４４（図３を参照）を通じて導光板１４０内に入射されて固定溝Ｇに届く光の量が減少することができる。それにより、固定溝Ｇまたは固定部材による光漏れがより弱くなることができる。
【００６７】
図６には、第１および第２追加パターン領域Ａ１、Ａ２が互いに同様の形状および大きさを有するものとして例示されている。それは、図３でのように、導光板１４０が両エッジ面１４３、１４４を通じて光を入射される場合に、特に適している。もし、導光板１４０が第１エッジ面１４３を通じてのみ光を入射される場合、第１追加パターン領域Ａ１によって第１追加パターン領域Ａ１の周辺には、暗部が発生する可能性がある。よって、このような場合、第１追加パターン領域Ａ１の面積よりは第２追加パターン領域Ａ２の面積がより大きいことが望ましい。言い換えると、導光板１４０が、ただ第１エッジ面１４３を通じてのみ光を受光する場合、二つの追加パターン領域Ａ１、Ａ２のうち、第１エッジ面１４３により近い第１追加パターン領域Ａ１よりは、第２追加パターン領域Ａ２がより広いことが望ましい。
【００６８】
図７に示す実施形態について説明する。
【００６９】
図７に示すように、出光パターン面１４１の出光部１４１Ａには、上述のパターン減少領域Ｒの右側および左側に第１および第２パターン増大領域Ｂ１、Ｂ２が形成される。このような第１および第２パターン増大領域Ｂ１、Ｂ２は、一般的な出光パターンＰ０が形成された出光部１４１Ａの残りの領域に比べて出光パターン密度が更に高い。
【００７０】
上述の第１および第２追加パターン領域Ａ１、Ａ２と類似するように、このような第１および第２パターン増大領域Ｂ１、Ｂ２は導光板１４０内に入射されて固定溝Ｇに届く光の量を減らす役割を担い、よって、固定溝Ｇまたは固定部材による光漏れがより弱化することができる。
【００７１】
なお、第１および第２パターン増大領域Ｂ１、Ｂ２は、パターン減少領域Ｒの一側に発生する可能性のある暗部を除去する役割も担うことができる。
【００７２】
一例として、導光板１４０が第１エッジ面１４３を通じてのみ光を受光する場合、第２パターン増大領域Ｂ２は、出光パターン密度が高い第１パターン増大領域Ｂ１によってパターン減少領域Ｒの左側に形成される暗部を除去する役割を担うことができる。第１パターン増大領域Ｂ１による暗部除去を保障するため、第１エッジ面１４３に近い第１パターン増大領域Ｂ１より第２パターン増大領域Ｂ２が更に広いことが望ましい。
【００７３】
図７で、第１および第２パターン増大領域Ｂ１、Ｂ２は、長方形状であるとして例示しているが、第１および第２パターン増大領域Ｂ１、Ｂ２は代案としての別の形状をなしてよい。一例として、第１および第２パターン増大領域Ｂ１、Ｂ２は、下辺が第１エッジ面１４３に並んだ直角三角形状であってよい。
【００７４】
図８に示す実施形態について説明する。
【００７５】
図８に示すように、出光パターン面１４１の出光部１４１Ａには、パターン減少領域Ｒの真後ろに後方パターン増大領域Ｂ３が形成されてよい。上述の第１および第２パターン増大領域Ｂ１、Ｂ２と類似するように、後方パターン増大領域Ｂ３は一般的な出光パターンＰ０が形成された出光部１４１Ａの残りの領域に比べて、出光パターン密度が更に高い。図８に示すように、後方パターン増大領域Ｂ３はパターン減少領域Ｒを少なくとも部分的に囲む形状であってよい。後方パターン増大領域Ｂ３は、パターン減少領域Ｒによってその周辺に発生可能な暗部を除去する役割を担う。
【００７６】
最後に、図９に示す実施形態について説明する。
【００７７】
図９に示す実施形態は、上述のパターン減少領域Ｒ、第１および第２追加パターン領域Ａ１、Ａ２、第１および第２パターン増大領域Ｂ１、Ｂ２、後方パターン増大領域Ｂ３を全て含む固定溝Ｇの周辺の出光パターン設計を例示する。このような実施形態によると、パターン減少領域Ｒ、追加パターン領域Ａ１、Ａ２およびパターン増大領域Ｂ１、Ｂ２によって固定溝Ｇおよび固定部材による光漏れが防止されることは勿論のこと、パターン増大領域Ｂ１、Ｂ２および後方パターン増大領域Ｂ３によってパターン減少領域Ｒの周辺に発生可能な暗部を抑えることができる。
【００７８】
以上説明したように、本発明の一実施形態に係る導光板１４０によると、固定溝Ｇおよび固定部材による光漏れ問題を解決することができ、このような解決は、更なる工程なしに、ただの出光パターン設計の変更を通じて達成することができる。よって、従来技術に比べてより安価な費用で光漏れ問題を解決することができる。
【００７９】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００８０】
１００  液晶表示装置
１１０  液晶パネル
１１１  上板
１１２  下板
１１３  液晶
１２０  バックライト
１３０  光源ユニット
１３１  光源
１３２  光源駆動ボード
１４０  導光板
１４１  出光パターン面
１４１Ａ  出光部
１４１Ｂ  エッジ部
１４２  レンチキュラーパターン面
１４３  第１エッジ面
１４４  第２エッジ面
１４５  第３エッジ面
１４６  第４エッジ面
１５０  反射シート
１６１  光学シート、保護シート
１６２  光学シート、プリズムシート
１６３  光学シート、拡散シート
Ａ１  第１追加パターン領域
Ａ２  第２追加パターン領域
Ｂ１  第１パターン増大領域
Ｂ２  第２パターン増大領域
Ｂ３  後方パターン増大領域
Ｃ  中心
Ｄ  境界
Ｄ１  境界の一部
Ｅ  光
Ｇ  固定溝
Ｈ  高さ
Ｉ  境界
Ｌ  レンチキュラーパターン
Ｐ０  出光パターン
Ｐ１  出光パターン
Ｐ２  追加パターン
Ｒ  パターン減少領域
Ｒ１  パターン減少領域
Ｓ  一地点、最短地点
Ｗ  幅
【図１】
2013258134.tif 000003
【図２】
2013258134.tif 000004
【図３】
2013258134.tif 000005
【図４】
2013258134.tif 000006
【図５】
2013258134.tif 000007
【図６】
2013258134.tif 000008
【図７】
2013258134.tif 000009
【図８】
2013258134.tif 000010
【図９】
2013258134.tif 000011